(57)【要約】【課題】レッド光学系と、グリーン光学系と、ブルー光学系とを具備するカラープロジェクタにおいて、全体の形状が小型であるカラープロジェクタを提供することを目的とする。【解決手段】レッド光学系と、グリーン光学系と、ブルー光学系とを具備するカラープロジェクタにおいて、上記レッド光学系の光軸と、上記グリーン光学系の光軸と、上記ブルー光学系の光軸とのうちの２つの光軸が、同一平面上に設けられ、残りの光学系の光軸が、上記平面以外の位置に設けられているカラープロジェクタである。【選択図】図１
2009128560.tif 000002
【特許請求の範囲】
【請求項１】
レッド光学系と、グリーン光学系と、ブルー光学系とを具備するカラープロジェクタにおいて、
上記レッド光学系の光軸と、上記グリーン光学系の光軸と、上記ブルー光学系の光軸とのうちの２つの光軸が、同一平面上に設けられ、残りの光学系の光軸が、上記平面以外の位置に設けられていることを特徴とするカラープロジェクタ。
【請求項２】
請求項１において、
上記レッド光学系の光軸と、上記グリーン光学系の光軸と、上記ブルー光学系の光軸とが、互いに平行であり、上記３光軸と直交する面における上記３光軸の軸芯が、三角形を形成していることを特徴とするカラープロジェクタ。
【請求項３】
請求項２において、
上記三角形が、正三角形、二等辺三角形、直角三角形のいずれかであることを特徴とするカラープロジェクタ。
【請求項４】
請求項１において、
上記レッド光学系の光軸、上記グリーン光学系の光軸、上記ブルー光学系の光軸が、それぞれ、Ｌ字状であることを特徴とするカラープロジェクタ。
【請求項５】
請求項４において、
上記レッド光学系の光軸と、上記グリーン光学系の光軸と、上記ブルー光学系の光軸とのうちの２つの光軸の射出側の光軸のみが、互いに同一平面上に設けられ、残りの光軸の射入側の光軸が、上記２つの光軸の射出側の光軸と互いに平行であり、
上記２つの光軸の射出側の光軸の軸芯と、残りの光軸の射入側の光軸の軸芯とが、上記３つの軸芯と直交する面における上記３光軸の軸芯が、三角形を形成していることを特徴とするカラープロジェクタ。
【請求項６】
請求項５において、
上記残りの光学系の光軸を、９０度反射するミラーを有することを特徴とするカラープロジェクタ。
【請求項７】
請求項１において、
上記レッド光学系の光軸、上記グリーン光学系の光軸、上記ブルー光学系の光軸が、それぞれ、直線状であることを特徴とするカラープロジェクタ。
【発明の詳細な説明】
【技術分野】
【０００１】
本発明は、カラープロジェクタに関する。
【背景技術】
【０００２】
従来のカラープロジェクタは、Ｒ、Ｇ、Ｂの３本の光学系によるＲ、Ｇ、Ｂの光が合成されることによって、所望のカラー画像が投影される（特許文献１参照）。
【０００３】
図５は、従来のカラープロジェクタ３００の概念を示す斜視図である。
【０００４】
従来のカラープロジェクタ３００は、レッド光学系Ｒ５と、グリーン光学系Ｇ５と、ブルー光学系Ｂ５とを有し、レッド光学系Ｒ５の光軸の軸芯５ｒと、グリーン光学系Ｇ５の光軸の軸芯５ｇと、ブルー光学系Ｂ５の光軸の軸芯５ｂとが、同一平面上に配列されている。
【特許文献１】特開２０００−７２０４７号公報
【発明の開示】
【発明が解決しようとする課題】
【０００５】
しかし、上記従来例は、横幅が大きく、カラープロジェクタ全体の形状が大きいので、カラープロジェクタ全体の形状を小型にしたいという要望がある。
【０００６】
本発明は、全体の形状が小型であるカラープロジェクタを提供することを目的とする。
【課題を解決するための手段】
【０００７】
本発明は、レッド光学系と、グリーン光学系と、ブルー光学系とを具備するカラープロジェクタにおいて、上記レッド光学系の光軸と、上記グリーン光学系の光軸と、上記ブルー光学系の光軸とのうちの２つの光軸が、同一平面上に設けられ、残りの光学系の光軸が、上記平面以外の位置に設けられているカラープロジェクタである。
【発明の効果】
【０００８】
本発明によれば、カラープロジェクタの全体の形状が小型であるという効果を奏する。
【発明を実施するための最良の形態】
【０００９】
発明を実施するための最良の形態は、以下の実施例である。
【実施例１】
【００１０】
図１は、本発明の実施例１であるカラープロジェクタ１００を示す斜視図である。
【００１１】
カラープロジェクタ１００は、レッド光学系Ｒ１と、グリーン光学系Ｇ１と、ブルー光学系Ｂ１とを有する。
【００１２】
カラープロジェクタ１００において、レッド光学系Ｒ１の射出側の光軸１ｒと、グリーン光学系Ｇ１の射出側の光軸１ｇとが同一平面上に設けられ、ブルー光学系Ｂ１の射出側の光軸１ｂが、上記平面上以外に設けられている。
【００１３】
なお、カラープロジェクタ１００において、レッド光学系Ｒ１の光軸と、グリーン光学系Ｇ１の光軸と、ブルー光学系Ｂ１の光軸とが、互いに平行であり、上記３光軸と直交する面における上記３光軸の軸芯が、三角形を形成していればよい。
【００１４】
また、上記三角形が、正三角形、二等辺三角形、直角三角形のいずれかである。さらに、レッド光学系Ｒ１の光軸、グリーン光学系Ｇ１の光軸、ブルー光学系Ｂ１の光軸が、それぞれ、Ｌ字状である。
【００１５】
なお、グリーン光学系Ｇ１は、その光軸を、９０度反射するミラー８０ｂを有する。
【００１６】
図２は、上記実施例におけるレッド光学系Ｒ１のみを示す斜視図である。
【００１７】
図３は、上記実施例におけるレッド光学系Ｒ１を示す斜視図である。
【００１８】
レッド光学系Ｒ１は、ＬＥＤ光源１０ｒと、レンズ２０ｒと、Ｐ波偏光板Ｐｒと、ハーフミラー３０ｒと、レンズ４０ｒと、反射型液晶５０ｒと、Ｓ波偏光板Ｓｒと、レンズ６０ｒと、透過型液晶７０ｒと、スクリーンＳＣＲとを有する。
【００１９】
Ｐ波偏光板Ｐｒは、Ｐ波のみを通過させる偏光板であり、Ｓ波偏光板Ｓｒは、Ｓ波のみを通過させる偏光板である。
【００２０】
反射型液晶５０ｒは、カラープロジェクタ１００が投影する画像のうちでレッド成分の画像信号に対応する各画素がオン、オフするする液晶である。
【００２１】
透過型液晶７０ｒは、コントラストをつけるためにフィルタとして働く液晶である。
【００２２】
なお、図２では、Ｐ波偏光板Ｐｒと、レンズ４０ｒと、Ｓ波偏光板Ｓｒと、スクリーンＳＣＲとを省略して示してある。
【００２３】
また、グリーン光学系Ｇ１は、レッド光学系Ｒ１と同様に、ＬＥＤ光源１０ｇと、レンズ２０ｇと、Ｐ波偏光板Ｐｇと、ハーフミラー３０ｇと、レンズ４０ｇと、反射型液晶５０ｇと、Ｓ波偏光板Ｓｇと、レンズ６０ｇと、透過型液晶７０ｇとを有する。グリーン光学系Ｇ１の光軸１ｇは、射出側の光軸である。
【００２４】
さらに、ブルー光学系Ｂ１は、レッド光学系Ｒ１と同様に、ＬＥＤ光源１０ｂと、レンズ２０ｂと、Ｐ波偏光板Ｐｂと、ハーフミラー３０ｂと、レンズ４０ｂと、反射型液晶５０ｂと、Ｓ波偏光板Ｓｂと、レンズ６０ｂと、透過型液晶７０ｂとを有する。ブルー光学系Ｂ１の光軸１ｂは、射出側の光軸である。
【００２５】
ブルー光学系Ｂ１のみ、ミラー８０ｂが設けられ、ブルー光学系Ｂ１の出力光（射出側の光）の光軸１ｇと、レッド光学系Ｒ１の出力光（射出側の光）の光軸と、グリーの光学系Ｇ１の出力光（射出側の光）の光軸とが、同一平面上に位置する。つまり、ミラー８０ｂは、上記残りの光学系の光軸を、９０度反射するミラーである。
【００２６】
なお、図１において、グリーン用Ｐ波偏光板Ｐｇ、グリーン用Ｓ波偏光板Ｓｇ、ブルー用Ｐ波偏光板Ｐｂ、ブルー用Ｓ波偏光板Ｓｂを省略して示してある。
【００２７】
次に、上記実施例の動作について説明する。
【００２８】
まず、レッド光学系Ｒ１に着目する。図３に示すレッド光学系Ｒ１において、ＬＥＤ光源１０ｒが点灯する。この光が、レンズ２０ｒを経由し、Ｐ波のみがＰ波偏光板Ｐｒを通過し、ハーフミラー３０ｒを半分の光が透過し、反射型液晶５０ｒに到達する。反射型液晶５０ｒに、所望の画像信号を供給すると、反射型液晶５０ｒは、上記所望の画像信号に対応する光信号をレンズ４０ｒに向けて送出する。
【００２９】
反射型液晶５０ｒが送出した光信号は、ハーフミラー３０ｒで半分が反射し、Ｓ波のみを通過させるＳ波偏光板Ｓｒを通過し、透過型液晶７０ｒを通過する。透過型液晶７０は、コントラストを向上させるための液晶である。透過型液晶７０ｒを通過した光が、スクリーンＳＣＲで結像する。
【００３０】
上記動作と同様の動作を、グリーン光学系Ｇ１、ブルー光学系Ｂ１でも実行し、ＲＧＢの３つの光によって、スクリーンＳＣＲにカラー画像が投影される。
【００３１】
上記実施例によれば、３つの光軸の各軸芯が三角形の頂点に形成されているので、３つの光学系が同一平面上に配置されている従来おプロジェクタよりも、横幅が短い。また、３つの光学系Ｒ１、Ｇ１、Ｂ１のそれぞれの光軸がＬ型であるので、一平面上に配列されている従来のカラープロジェクタよりも、カラープロジェクタ１００の奥行きが短い。したがって、カラープロジェクタ１００の全体の形状が小型である。
【００３２】
つまり、上記実施例は、レッド光学系の光軸と、グリーン光学系の光軸と、ブルー光学系の光軸とのうちの２つの光軸の射出側の光軸のみが、互いに同一平面上に設けられ、残りの光軸の射入側の光軸が、上記２つの光軸の射出側の光軸と互いに平行であり、
上記２つの光軸の射出側の光軸の軸芯と、残りの光軸の射入側の光軸の軸芯とが、上記３つの軸芯と直交する面における上記３光軸の軸芯が、三角形を形成している例である。
【実施例２】
【００３３】
図４は、本発明の実施例２であるカラープロジェクタ２００の概念を説明する斜視図である。
【００３４】
カラープロジェクタ２００は、レッド光学系Ｒ２の光軸２ｒ、グリーン光学系Ｇ２の光軸２ｇ、ブルー光学系Ｂ２の光軸２ｂが、それぞれ、直線状であるプロジェクタである。
【００３５】
カラープロジェクタ２００において、レッド光学系Ｒ２の光軸２ｒと、グリーン光学系Ｇ２の光軸２ｇとが同一平面上に配置され、ブルー光学系Ｂ２の光軸２ｂが、上記平面とは異なる位置に配置されている。また、レッド光学系Ｒ２の光軸２ｒ、グリーン光学系Ｇ２の光軸２ｇに沿って、グリーン光学系Ｇ２の光軸２ｇを見ると、グリーン光学系Ｇ２の光軸２ｇは、レッド光学系Ｒ２の光軸２ｒとグリーン光学系Ｇ２の光軸２ｇとの間に設けられている。
【００３６】
カラープリンタ２００は、光軸２ｒの軸芯、光軸２ｇの軸芯、光軸２ｂの軸芯と直交する面において、レッド光学系Ｒ２の光軸２ｒの軸芯と、グリーン光学系Ｇ２の光軸２ｇの軸芯と、ブルー光学系Ｂ２の光軸２ｂの軸芯とは、正三角形を形成している。
【００３７】
なお、光軸２ｒの軸芯、光軸２ｇの軸芯、光軸２ｂの軸芯と直交する面において、レッド光学系Ｒ２の光軸２ｒの軸芯と、グリーン光学系Ｇ２の光軸２ｇの軸芯と、ブルー光学系Ｂ２の光軸２ｂの軸芯とは、二等辺三角形または直角三角形を形成するようにしてもよい。
【００３８】
上記実施例によれば、光軸の軸芯が三角形の頂点に形成されているので、３つの光学系が同一平面上に配置されている従来のプロジェクタよりも、横幅が短い。したがって、カラープロジェクタ２００の全体の形状が小型である。
【００３９】
つまり、上記実施例は、レッド光学系と、グリーン光学系と、ブルー光学系とを具備するカラープロジェクタにおいて、上記レッド光学系の光軸と、上記グリーン光学系の光軸と、上記ブルー光学系の光軸とのうちの２つの光軸が、同一平面上に設けられ、残りの光学系の光軸が、上記平面以外の位置に設けられているカラープロジェクタの例である。
【００４０】
この場合、上記レッド光学系の光軸と、上記グリーン光学系の光軸と、上記ブルー光学系の光軸とが、互いに平行であり、上記３光軸と直交する面における上記３光軸の軸芯が、三角形を形成している。また、上記三角形が、正三角形、二等辺三角形、直角三角形のいずれかである。さらに、上記レッド光学系の光軸、上記グリーン光学系の光軸、上記ブルー光学系の光軸が、それぞれ、Ｌ字状である。しかも、上記レッド光学系の光軸と、上記グリーン光学系の光軸と、上記ブルー光学系の光軸とのうちの２つの光軸の射出側の光軸のみが、互いに同一平面上に設けられ、残りの光軸の射入側の光軸が、上記２つの光軸の射出側の光軸と互いに平行であり、上記２つの光軸の射出側の光軸の軸芯と、残りの光軸の射入側の光軸の軸芯とが、上記３つの軸芯と直交する面における上記３光軸の軸芯が、三角形を形成している。そして、上記残りの光学系の光軸を、９０度反射するミラーを有する。加えて、上記レッド光学系の光軸、上記グリーン光学系の光軸、上記ブルー光学系の光軸が、それぞれ、直線状である。
【図面の簡単な説明】
【００４１】
【図１】本発明の実施例１であるカラープロジェクタ１００を示す斜視図である。
【図２】上記実施例におけるレッド光学系Ｒ１のみを示す斜視図である。
【図３】上記実施例におけるレッド光学系Ｒ１を示す斜視図である。
【図４】本発明の実施例２であるカラープロジェクタ２００の概念を説明する斜視図である。
【図５】従来のカラープロジェクタ３００の概念を示す斜視図である。
【符号の説明】
【００４２】
１００…カラープロジェクタ、
Ｒ１…レッド光学系、
１ｒ…レッド光軸、
１０ｒ…ＬＥＤ光源、
２０ｒ…レンズ、
Ｐｒ…レッド用Ｐ波偏光板、
３０ｒ…ハーフミラー、
４０ｒ…レンズ、
５０ｒ…反射型液晶、
Ｓｒ…レッド用Ｓ波偏光板、
６０ｒ…レンズ、
７０ｒ…透過型液晶、
ＳＣＲ…スクリーン、
Ｇ１…グリーン光学系、
１ｇ…グリーン光軸、
１０ｇ…ＬＥＤ光源、
２０ｇ…レンズ、
３０ｇ…ハーフミラー、
４０ｇ…レンズ、
５０ｇ…反射型液晶、
６０ｇ…レンズ、
７０ｇ…透過型液晶、
Ｂ１…ブルー光学系、
１ｂ…ブルー光軸、
１０ｂ…ＬＥＤ光源、
２０ｂ…レンズ、
３０ｂ…ハーフミラー、
４０ｂ…レンズ、
５０ｂ…反射型液晶、
６０ｂ…レンズ、
７０ｂ…透過型液晶、
８０ｂ…ミラー、
２００…カラープロジェクタ、
Ｒ２…レッド光学系、
Ｇ２…グリーン光学系、
Ｂ２…ブルー光学系。
【図１】
2009128560.tif 000003
【図２】
2009128560.tif 000004
【図３】
2009128560.tif 000005
【図４】
2009128560.tif 000006
【図５】
2009128560.tif 000007